(57)【要約】  通信システムにおける信号エネルギー及び干渉エネルギー推定のための方法及び装置。１つの態様では、方法は、しきい値の値を設定すること、及び干渉推定値（Ｉｅｓｔ）を決定するために、前記しきい値の値とチャネル推定値を比較することを含む。前記方法は、しかも、平均チャネル干渉（Ｉｃ）を決定するために、前記干渉推定値（Ｉｅｓｔ）を平均すること、及び前記干渉推定値（Ｉｅｓｔ）及び前記平均チャネル干渉（Ｉｃ）に基づいて干渉エネルギー（Ｉ）を決定すること、を含む。別の１つの態様では、装置は、しきい値の値を設定し、そして前記しきい値の値とチャネル推定値を比較して、干渉推定値（Ｉｅｓｔ）を決定するように構成されたしきい値論理回路、を含む。前記装置は、前記干渉推定値（Ｉｅｓｔ）を平均して、平均チャネル干渉（Ｉｃ）を決定するように構成された平均化論理回路、及び前記干渉推定値（Ｉｅｓｔ）及び前記平均チャネル干渉（Ｉｃ）に基づいて干渉エネルギー（Ｉ）を決定するように構成された合計論理回路、を具備する。
2010511355.tif 000002
【特許請求の範囲】
【請求項１】
信号エネルギー及び干渉エネルギーを決定するための方法、前記方法は、
しきい値の値を設定すること、
干渉推定値（Ｉｅｓｔ）を決定するために、前記しきい値の値とチャネル推定値を比較すること、
平均チャネル干渉（Ｉｃ）を決定するために、前記干渉推定値（Ｉｅｓｔ）を平均すること、及び
前記干渉推定値（Ｉｅｓｔ）及び前記平均チャネル干渉（Ｉｃ）に基づいて干渉エネルギー（Ｉ）を決定すること、
を具備する、方法。
【請求項２】
信号推定値（Ｃｅｓｔ）を決定するために、前記しきい値の値と前記チャネル推定値を比較すること、及び
前記信号推定値（Ｃｅｓｔ）及び前記平均チャネル干渉（Ｉｃ）に基づいて信号エネルギー（Ｃ）を決定すること、
をさらに具備する、請求項１の方法。
【請求項３】
前記信号推定値（Ｃｅｓｔ）に基づいて前記しきい値の値を調節すること、をさらに具備する、請求項２の方法。
【請求項４】
前記信号エネルギーＣを決定するために、前記信号推定値Ｃｅｓｔから前記平均チャネル干渉Ｉｃを減算すること、をさらに具備する、請求項２の方法。
【請求項５】
前記決定することは、前記干渉エネルギーＩを決定するために、前記Ｉｅｓｔに前記Ｉｃを加算すること、を具備する、請求項１の方法。
【請求項６】
前記平均することは、
干渉平均値（Ｉａｖｇ）を決定するために、前記チャネル推定値の何個のサンプルが前記しきい値の値より低いかを示す第１のカウント（Ｎｉ）で前記干渉推定値Ｉｅｓｔを除算すること、及び
前記平均チャネル干渉Ｉｃを決定するために、前記チャネル推定値の何個のサンプルが前記しきい値の値より大きいかを示す第２のカウント（Ｎｃ）と前記Ｉａｖｇを乗算すること、
を具備する、請求項１の方法。
【請求項７】
前記設定することは、参照インディケータに基づいて前記しきい値の値を設定すること、を具備する、請求項１の方法。
【請求項８】
干渉部分として前記チャネル推定値の一部を特定する切捨てウィンドを生成すること、をさらに具備する、そしてここにおいて、前記干渉部分は、前記干渉推定値（Ｉｅｓｔ）を決定するために使用される、請求項１の方法。
【請求項９】
１又はそれより多くのシンボルを時間フィルタリングすることにより前記チャネル推定値を取得すること、をさらに具備する、請求項１の方法。
【請求項１０】
信号エネルギーＣを決定するために、受信した信号強度インディケータから前記干渉推定値Ｉｅｓｔを減算すること、をさらに具備する、請求項１の方法。
【請求項１１】
信号エネルギー及び干渉エネルギーを決定するための装置、前記装置は、
しきい値の値を設定し、そして干渉推定値（Ｉｅｓｔ）を決定するために、前記しきい値の値とチャネル推定値を比較するように構成されたしきい値論理回路、
平均チャネル干渉（Ｉｃ）を決定するために、前記干渉推定値（Ｉｅｓｔ）を平均するように構成された平均化論理回路、及び
前記干渉推定値（Ｉｅｓｔ）及び前記平均チャネル干渉（Ｉｃ）に基づいて干渉エネルギー（Ｉ）を決定するように構成された合計論理回路、
を具備する、装置。
【請求項１２】
前記しきい値論理回路は、信号推定値（Ｃｅｓｔ）を決定するために、前記しきい値の値と前記チャネル推定値を比較するようにさらに構成される、請求項１１の装置。
【請求項１３】
前記信号推定値（Ｃｅｓｔ）及び前記平均チャネル干渉（Ｉｃ）に基づいて信号エネルギー（Ｃ）を決定するように構成された減算論理回路をさらに具備する、請求項１２の装置。
【請求項１４】
前記しきい値論理回路は、前記信号推定値（Ｃｅｓｔ）に基づいて前記しきい値の値を調節するようにさらに構成される、請求項１１の装置。
【請求項１５】
前記平均化論理回路は、
干渉平均値（Ｉａｖｇ）を決定するために、前記フィルタリングされたチャネル推定値の何個のサンプルが前記しきい値の値より低いかを示す第１のカウント（Ｎｉ）で干渉推定値Ｉｅｓｔを除算するように構成された除算論理回路、及び
前記平均チャネル干渉Ｉｃを決定するために、前記フィルタリングされたチャネル推定値の何個のサンプルが前記しきい値の値より大きいかを示す第２のカウント（Ｎｃ）と前記Ｉａｖｇを乗算するように構成された乗算論理回路、
を具備する、請求項１１の装置。
【請求項１６】
前記しきい値論理回路は、参照インディケータに基づいて前記しきい値の値を設定するようにさらに構成される、請求項１１の装置。
【請求項１７】
干渉部分として前記チャネル推定値の一部を特定する切捨てウィンドを生成するように構成され、及び前記干渉推定値（Ｉｅｓｔ）を決定するために、前記干渉部分を使用するように構成された切捨て論理回路をさらに具備する、請求項１１の装置。
【請求項１８】
１又はそれより多くのシンボルを時間フィルタリングすることにより前記チャネル推定値を取得するように構成された論理回路、をさらに具備する、請求項１１の装置。
【請求項１９】
信号エネルギーＣを決定するために、受信した信号強度インディケータ（Ｒ）から前記干渉推定値Ｉｅｓｔを減算するように構成された論理回路、をさらに具備する、請求項１１の装置。
【請求項２０】
信号エネルギー及び干渉エネルギーを決定するための装置、前記装置は、
しきい値の値を設定するための手段、
干渉推定値（Ｉｅｓｔ）を決定するために、前記しきい値の値とチャネル推定値を比較するための手段、
平均チャネル干渉（Ｉｃ）を決定するために、前記干渉推定値（Ｉｅｓｔ）を平均するための手段、及び
前記干渉推定値（Ｉｅｓｔ）及び前記平均チャネル干渉（Ｉｃ）に基づいて干渉エネルギー（Ｉ）を決定するための手段、
を具備する、装置。
【請求項２１】
信号推定値（Ｃｅｓｔ）を決定するために、前記しきい値の値と前記チャネル推定値を比較するための手段、及び
前記信号推定値（Ｃｅｓｔ）及び前記平均チャネル干渉（Ｉｃ）に基づいて信号エネルギー（Ｃ）を決定するための手段、
をさらに具備する、請求項２０の装置。
【請求項２２】
前記信号推定値（Ｃｅｓｔ）に基づいて前記しきい値の値を調節するための手段、をさらに具備する、請求項２１の装置。
【請求項２３】
前記信号エネルギーＣを決定するために、前記信号推定値Ｃｅｓｔから前記平均チャネル干渉Ｉｃを減算するための手段、をさらに具備する、請求項２１の装置。
【請求項２４】
前記決定するための手段は、前記干渉エネルギーＩを決定するために、前記Ｉｅｓｔに前記Ｉｃを加算するための手段、を具備する、請求項２０の装置。
【請求項２５】
前記平均するための手段は、
干渉平均値（Ｉａｖｇ）を決定するために、フィルタリングされたチャネル推定値の何個のサンプルが前記しきい値の値より低いかを示す第１のカウント（Ｎｉ）で前記干渉推定値Ｉｅｓｔを除算するための手段、及び
前記平均チャネル干渉Ｉｃを決定するために、前記フィルタリングされたチャネル推定値の何個のサンプルが前記しきい値の値より大きいかを示す第２のカウント（Ｎｃ）と前記Ｉａｖｇを乗算するための手段、
を具備する、請求項２０の装置。
【請求項２６】
前記設定するための手段は、参照インディケータに基づいて前記しきい値の値を設定するための手段、を具備する、請求項２０の装置。
【請求項２７】
干渉部分として前記チャネル推定値の一部を特定する切捨てウィンドを生成するため、そして前記干渉推定値（Ｉｅｓｔ）を決定するために前記干渉部分を使用するための手段、をさらに具備する、請求項２０の装置。
【請求項２８】
１又はそれより多くのシンボルを時間フィルタリングすることにより前記チャネル推定値を取得するための手段、をさらに具備する、請求項２０の装置。
【請求項２９】
信号エネルギーＣを決定するために、受信した信号強度インディケータから前記干渉推定値Ｉｅｓｔを減算するための手段、をさらに具備する、請求項２０の装置。
【請求項３０】
少なくとも１つのプロセッサにより実行されるときに、信号エネルギー及び干渉エネルギーを決定するように動作する命令を具備するコンピュータ・プログラムを有するコンピュータ読取り可能な媒体、前記コンピュータ・プログラムは、
しきい値の値を設定するための命令、
干渉推定値（Ｉｅｓｔ）を決定するために、前記しきい値の値とチャネル推定値を比較するための命令、
平均チャネル干渉（Ｉｃ）を決定するために、前記干渉推定値（Ｉｅｓｔ）を平均するための命令、及び
前記干渉推定値（Ｉｅｓｔ）及び前記平均チャネル干渉（Ｉｃ）に基づいて干渉エネルギー（Ｉ）を決定するための命令、
を具備する。
【請求項３１】
信号推定値（Ｃｅｓｔ）を決定するために、前記しきい値の値と前記チャネル推定値を比較するための命令、及び
前記信号推定値（Ｃｅｓｔ）及び前記平均チャネル干渉（Ｉｃ）に基づいて信号エネルギー（Ｃ）を決定するための命令、
をさらに具備する、請求項３０のコンピュータ・プログラム。
【請求項３２】
前記信号推定値（Ｃｅｓｔ）に基づいて前記しきい値の値を調節するための命令、をさらに具備する、請求項３１のコンピュータ・プログラム。
【請求項３３】
前記信号エネルギーＣを決定するために、前記信号推定値Ｃｅｓｔから前記平均チャネル干渉Ｉｃを減算するための命令、をさらに具備する、請求項３１のコンピュータ・プログラム。
【請求項３４】
前記決定するための命令は、前記干渉エネルギーＩを決定するために、前記Ｉｅｓｔに前記Ｉｃを加算するための命令、を具備する、請求項３０のコンピュータ・プログラム。
【請求項３５】
前記平均するための命令は、
干渉平均値（Ｉａｖｇ）を決定するために、フィルタリングされたチャネル推定値の何個のサンプルが前記しきい値の値より低いかを示す第１のカウント（Ｎｉ）で前記干渉推定値Ｉｅｓｔを除算するための命令、及び
前記平均チャネル干渉Ｉｃを決定するために、前記フィルタリングされたチャネル推定値の何個のサンプルが前記しきい値の値より大きいかを示す第２のカウント（Ｎｃ）と前記Ｉａｖｇを乗算するための命令、
を具備する、請求項３０のコンピュータ・プログラム。
【請求項３６】
前記設定するための命令は、参照インディケータに基づいて前記しきい値の値を設定するための命令、を具備する、請求項３０のコンピュータ・プログラム。
【請求項３７】
干渉部分として前記チャネル推定値の一部を特定する切捨てウィンドを生成するため、そして、前記干渉推定値（Ｉｅｓｔ）を決定するために、前記干渉部分を使用するための命令、をさらに具備する、請求項３０のコンピュータ・プログラム。
【請求項３８】
１又はそれより多くのシンボルを時間フィルタリングすることにより前記チャネル推定値を取得するための命令、をさらに具備する、請求項３０のコンピュータ・プログラム。
【請求項３９】
信号エネルギーＣを決定するために、受信した信号強度インディケータから前記干渉推定値Ｉｅｓｔを減算するための命令、をさらに具備する、請求項３０のコンピュータ・プログラム。
【請求項４０】
信号エネルギー及び干渉エネルギーを決定するための方法を実行するように構成された少なくとも１つのプロセッサ、前記方法は、
しきい値の値を設定すること、
干渉推定値（Ｉｅｓｔ）を決定するために、前記しきい値の値とチャネル推定値を比較すること、
平均チャネル干渉（Ｉｃ）を決定するために、前記干渉推定値（Ｉｅｓｔ）を平均すること、及び
前記干渉推定値（Ｉｅｓｔ）及び前記平均チャネル干渉（Ｉｃ）に基づいて干渉エネルギー（Ｉ）を決定すること、
を具備する。
【請求項４１】
信号推定値（Ｃｅｓｔ）を決定するために、前記しきい値の値とフィルタリングされた前記チャネル推定値を比較すること、及び
前記信号推定値（Ｃｅｓｔ）及び前記平均チャネル干渉（Ｉｃ）に基づいて信号エネルギー（Ｃ）を決定すること、
をさらに具備する、請求項４０の方法。
【請求項４２】
前記信号推定値（Ｃｅｓｔ）に基づいて前記しきい値の値を調節すること、をさらに具備する、請求項４１の方法。
【請求項４３】
前記信号エネルギーＣを決定するために、前記信号推定値Ｃｅｓｔから前記平均チャネル干渉Ｉｃを減算すること、をさらに具備する、請求項４１の方法。
【請求項４４】
前記決定することは、前記干渉エネルギーＩを決定するために、前記Ｉｅｓｔに前記Ｉｃを加算すること、を具備する、請求項４０の方法。
【請求項４５】
前記平均することは、
干渉平均値（Ｉａｖｇ）を決定するために、フィルタリングされた前記チャネル推定値の何個のサンプルが前記しきい値の値より低いかを示す第１のカウント（Ｎｉ）で前記干渉推定値Ｉｅｓｔを除算すること、及び
前記平均チャネル干渉Ｉｃを決定するために、前記フィルタリングされたチャネル推定値の何個のサンプルが前記しきい値の値より大きいかを示す第２のカウント（Ｎｃ）と前記Ｉａｖｇを乗算すること、
を具備する、請求項４０の方法。
【請求項４６】
前記設定することは、参照インディケータに基づいて前記しきい値の値を設定すること、を具備する、請求項４０の方法。
【請求項４７】
干渉部分として前記チャネル推定値の一部を特定する切捨てウィンドを生成すること、をさらに具備する、そしてここにおいて、前記干渉部分は、前記干渉推定値（Ｉｅｓｔ）を決定するために使用される、請求項４０の方法。
【請求項４８】
１又はそれより多くのシンボルを時間フィルタリングすることにより前記チャネル推定値を取得すること、をさらに具備する、請求項４０の方法。
【請求項４９】
信号エネルギーＣを決定するために、受信した信号強度インディケータから前記干渉推定値Ｉｅｓｔを減算すること、をさらに具備する、請求項４０の方法。
【請求項５０】
信号エネルギー及び干渉エネルギーを決定するための方法、前記方法は、
しきい値の値を設定すること、
切捨てウィンドを規定すること、
干渉推定値（Ｉｅｓｔ）を決定するために、前記しきい値の値と前記切捨てウィンド内のフィルタリングされたチャネル推定値を比較すること、
平均チャネル干渉（Ｉｃ）を決定するために、前記干渉推定値（Ｉｅｓｔ）を平均すること、及び
前記干渉推定値（Ｉｅｓｔ）及び前記平均チャネル干渉（Ｉｃ）に基づいて干渉エネルギー（Ｉ）を決定すること、
を具備する、方法。
【請求項５１】
信号推定値（Ｃｅｓｔ）を決定するために、前記しきい値の値と前記切捨てウィンド外の前記フィルタリングされたチャネル推定値を比較すること、及び
前記信号推定値（Ｃｅｓｔ）及び前記平均チャネル干渉（Ｉｃ）に基づいて信号エネルギー（Ｃ）を決定すること、
をさらに具備する、請求項５０の方法。
【請求項５２】
前記信号エネルギーＣを決定するために、前記信号推定値Ｃｅｓｔから前記平均チャネル干渉Ｉｃを減算すること、をさらに具備する、請求項５１の方法。
【請求項５３】
信号エネルギー及び干渉エネルギーを決定するための方法、前記方法は、
切捨てウィンドを規定すること、
前記切捨てウィンド内に存在するフィルタリングされたチャネル推定値に基づいて干渉エネルギー（Ｉ）を決定すること、
前記干渉エネルギー（Ｉ）及び受信したエネルギー（Ｒ）に基づいて信号エネルギー（Ｃ）を決定すること、
を具備する、方法。
【請求項５４】
信号エネルギー及び干渉エネルギーを決定するための方法、前記方法は、
２つのシンボル中のフィルタリングされたチャネル推定値の差異に基づいて干渉エネルギー（Ｉ）を決定すること、
前記干渉エネルギー（Ｉ）及び受信したエネルギー（Ｒ）に基づいて信号エネルギー（Ｃ）を決定すること、
を具備する、方法。
【請求項５５】
信号エネルギー及び干渉エネルギーを決定するための方法、前記方法は、
２つのシンボル中のフィルタリングされていないチャネル推定値の差異に基づいて干渉エネルギー（Ｉ）を決定すること、
前記干渉エネルギー（Ｉ）及び受信したエネルギー（Ｒ）に基づいて信号エネルギー（Ｃ）を決定すること、
を具備する、方法。
【請求項５６】
信号エネルギー及び干渉エネルギーを決定するための方法、前記方法は、
３つのシンボル中のフィルタリングされたチャネル推定値の差異に基づいて干渉エネルギー（Ｉ）を決定すること、
前記干渉エネルギー（Ｉ）及び受信したエネルギー（Ｒ）に基づいて信号エネルギー（Ｃ）を決定すること、
を具備する、方法。
【発明の詳細な説明】
【技術分野】
【０００１】
本出願は、一般に通信システムの動作に係わり、そして特に、通信システムにおけるチャネル推定及び干渉推定のための方法及び装置に関する。
【背景技術】
【０００２】
データ・ネットワーク、例えば、無線通信ネットワークは、１つの端末のためにカスタマイズされたサービスと多数の端末に提供されるサービスとの間で折り合いを付ける必要がある。例えば、リソースに制限がある多数の携帯デバイス（加入者）へのマルチメディア・コンテンツの配布は、複雑な問題である。それゆえ、高速且つ効率的な方式で、そして帯域幅利用効率及び電力効率を向上させる方法で、コンテンツ及び／又は他のネットワーク・サービスを配布するための方法を持つことは、ネットワーク管理者、コンテント・リテーラ、及びサービス・プロバイダにとって非常に重要である。
【０００３】
現在のコンテント配信／媒体配布システムでは、リアル・タイム・サービス及び非リアル・タイム・サービスは、ある伝送フレームへと詰め込まれ、そしてネットワーク上のデバイスに配信される。例えば、通信ネットワークは、直交周波数分割多重化（ＯＦＤＭ：Orthogonal Frequency Division Multiplexing）を利用することができて、ネットワーク・サーバと１又はそれより多くの移動デバイスとの間の通信を提供する。この技術は、伝送波形として配布ネットワークを介して配信されようとしているサービスを詰められているデータ・スロットを有する伝送フレームを提供する。
【０００４】
通信システムの性能は、ネットワークとデバイスとの間の通信チャネルの性能に依存することがある。この性能を特徴付けるために、チャネル（信号）エネルギーと干渉（雑音）エネルギーの両者を推定することが望ましい。例えば、干渉エネルギーは、環境中の他の望ましくない信号からの干渉と同様に受信機雑音を含む。一旦、干渉エネルギーが決められると、復調、フィールド試験、若しくは通信システムの動作又は性能改善に関係する他の機能を手助けするために使用されることができる。複合した信号エネルギーと干渉エネルギーの推定値を得ることは比較的容易であるが、不幸なことに、個々の推定値を決定することは、はるかに困難である。
【０００５】
それゆえ、通信システムにおける信号エネルギー及び干渉エネルギーを効率的に決定するように動作し、その結果システムの性能が決定される及び／又は最適化される、システムを有することは、望ましいはずである。
【発明の概要】
【０００６】
１又はそれより多くの態様では、通信システムにおける信号エネルギー及び干渉エネルギーを決定するように動作する推定システムが、提供される。１つの態様では、該システムは、適応しきい値を利用して、チャネル推定値から信号エネルギー推定値及び干渉エネルギー推定値を決定する。干渉エネルギー推定値は、次に、信号推定値を補償して、信号エネルギーを決定するために使用される。干渉推定値は、同様に補償されて、干渉エネルギーを決定する。適応しきい値は、システムが変化する伝送環境を調節することを同様に可能にする。その結果、決定された信号エネルギー及び干渉エネルギーは、フィールド試験、データ復調、若しくは通信システムの動作又は性能に関連する他の機能を手助けするために使用されることができる。
【０００７】
１つの態様では、方法は、信号エネルギー及び干渉エネルギーを決定するために提供される。前記方法は、しきい値の値を設定すること、及びチャネル推定値を前記しきい値の値と比較して、干渉推定値（Ｉｅｓｔ）を決定すること、を具備する。前記方法は、しかも、前記干渉推定値（Ｉｅｓｔ）を平均して、平均チャネル干渉（Ｉｃ）を決定すること、及び前記干渉推定値（Ｉｅｓｔ）及び前記平均チャネル干渉（Ｉｃ）に基づいて干渉エネルギー（Ｉ）を決定すること、を具備する。
【０００８】
別の１つの態様では、装置は、信号エネルギー及び干渉エネルギーを決定するために提供される。前記装置は、しきい値の値を設定し、そしてチャネル推定値を前記しきい値の値と比較して、干渉推定値（Ｉｅｓｔ）を決定するように構成されたしきい値論理回路、を具備する。前記装置は、しかも、前記干渉推定値（Ｉｅｓｔ）を平均して、平均チャネル干渉（Ｉｃ）を決定するように構成された平均化論理回路、及び前記干渉推定値（Ｉｅｓｔ）及び前記平均チャネル干渉（Ｉｃ）に基づいて干渉エネルギー（Ｉ）を決定するように構成された合計論理回路、を具備する。
【０００９】
別の１つの態様では、装置は、信号エネルギー及び干渉エネルギーを決定するために提供される。前記装置は、しきい値の値を設定するための手段、干渉推定値（Ｉｅｓｔ）を決定するために、チャネル推定値を前記しきい値の値と比較するための手段、を具備する。前記装置は、しかも、平均チャネル干渉（Ｉｃ）を決定するために、前記干渉推定値（Ｉｅｓｔ）を平均するための手段、及び前記干渉推定値（Ｉｅｓｔ）及び前記平均チャネル干渉（Ｉｃ）に基づいて干渉エネルギー（Ｉ）を決定するための手段、を具備する。
【００１０】
別の１つの態様では、少なくとも１つのプロセッサにより実行されるときに、信号エネルギー及び干渉エネルギーを決定するように動作する命令を具備するコンピュータ・プログラムを有するコンピュータ読取り可能な媒体が提供される。前記コンピュータ・プログラムは、しきい値の値を設定するための命令、及び干渉推定値（Ｉｅｓｔ）を決定するために、チャネル推定値を前記しきい値の値と比較するための命令、を具備する。前記コンピュータ・プログラムは、しかも、平均チャネル干渉（Ｉｃ）を決定するために、前記干渉推定値（Ｉｅｓｔ）を平均するための命令、及び前記干渉推定値（Ｉｅｓｔ）及び前記平均チャネル干渉（Ｉｃ）に基づいて干渉エネルギー（Ｉ）を決定するための命令、を具備する。
【００１１】
さらに別の１つの態様では、信号エネルギー及び干渉エネルギーを決定するための方法を実行するように構成された少なくとも１つのプロセッサが提供される。前記方法は、しきい値の値を設定すること、チャネル推定値を前記しきい値の値と比較して、干渉推定値（Ｉｅｓｔ）を決定すること、及び前記干渉推定値（Ｉｅｓｔ）を平均して、平均チャネル干渉（Ｉｃ）を決定すること、を具備する。前記方法は、しかも、前記干渉推定値（Ｉｅｓｔ）及び前記平均チャネル干渉（Ｉｃ）に基づいて干渉エネルギー（Ｉ）を決定すること、を具備する。
【００１２】
他の態様は、以降に記載される図面の簡単な説明、説明、及び特許請求の範囲を概観した後で明確になるであろう。
【図面の簡単な説明】
【００１３】
【図１】推定システムの１態様を具備するネットワークを示す。
【図２】推定システムにおいて使用するための受信機の１態様を示す。
【図３】推定システムにおいて使用するためのフィルタリングされたチャネル推定値を図示する。
【図４】推定システムにおいて使用するための推定論理回路の１態様を示す。
【図５】推定システムにおいて使用するための推定論理回路の１態様を示す。
【図６】推定システムにおいて使用するための補償論理回路の１態様を示す。
【図７】推定システムにおいて使用するための方法を示す。
【図８】推定システムにおいて使用するための推定論理回路の１態様を示す。
【図９】推定システムの１態様を示す。
【詳細な説明】
【００１４】
本明細書中に記述される上記の態様は、添付した図面とともに考慮した時に下記の説明を参照することによりさらに容易に明確になるであろう。
【００１５】
１又はそれより多くの態様において、推定システムは、通信システムにおけるチャネル・エネルギー及び干渉エネルギーを推定するように動作することを提供する。この説明の目的のために、推定システムの態様は、ネットワーク・サーバと１又はそれより多くの移動デバイスとの通信を提供するＯＦＤＭを利用する通信ネットワークを参照して本明細書において記述される。例えば、ＯＦＤＭシステムの１つの態様では、時分割多重（ＴＤＭ：time division multiplex）パイロット信号、周波数分割多重（ＦＤＭ：frequency division multiplex）パイロット信号、広域識別子（ＷＩＣ：wide area identifier）、局所域識別子（ＬＩＣ：local area identifier）、オーバーヘッド情報シンボル（ＯＩＳ：overhead information symbol）及びデータ・シンボルを具備するフレームが、規定される。データ・シンボルは、サーバから受信デバイスへサービスを伝達するために使用される。データ・スロットは、１ＯＦＤＭシンボル時間のあいだに生じる５００データ・シンボルの集合として規定される。それに加えて、フレームにおける１ＯＦＤＭシンボル時間は、７スロットのデータと１スロットのパイロット・シンボルを搬送する。
【００１６】
図１は、推定システムの１態様を具備するネットワーク１００を示す。ネットワーク１００は、移動デバイス１０２，１０４，１０６、サーバ１０８、及び通信ネットワーク１１０を具備する。この説明の目的のために、ネットワーク１１０がＯＦＤＭ技術を使用して移動デバイスとそして移動デバイスのうちの１又はそれより多くとの通信を提供するように動作すると仮定する、しかしながら、雑音推定システムの態様は、同様に他の伝送技術を使用するために適している。
【００１７】
１つの態様では、サーバ１０８は、ネットワーク１１０と通信しているデバイスにより申し込まれることができるサービスを提供するように動作する。サーバ１０８は、いずれかの好適な通信リンクを備える通信リンク１１２を経由してネットワーク１１０に接続される。ネットワーク１１０は、有線ネットワーク及び／又は無線ネットワークの任意の組み合わせを具備し、それはサーバ１０８からネットワーク１１０と通信しているデバイス、例えば、デバイス１０２、へサービスが配信されることを可能にする。
【００１８】
この態様におけるデバイス１０２，１０４と１０６は、無線リンク１１４を経由してネットワーク１１０と通信する移動電話機を具備する。無線リンク１１４は、ＯＦＤＭ技術に基づく無線通信リンクを備える、しかしながら、別の態様では、無線リンク１１４は、デバイスがネットワーク１１０と通信することを可能にするように動作する他の好適な無線技術を備えることができる。この説明の残りのために、雑音推定システムの態様は、デバイス１０２を参照して記述される、しかしながら、その態様は、デバイス１０４と１０６に対して同じように適用可能である。
【００１９】
ネットワーク１１０が本態様の範囲内で任意の数のデバイス及び／又は任意のタイプのデバイスと通信することができることは、注目されるべきである。例えば、雑音推定システムの態様において使用するために適した他のデバイスは、個人ディジタル補助装置（ＰＤＡ：personal digital assistant）、電子メール・デバイス、ページャ、ノートブック・コンピュータ、ｍｐ３プレーヤ、ビデオ・プレーヤ、又はデスクトップ・コンピュータを含むが、それらに限定されない。
【００２０】
サーバ１０８は、リアル・タイム・サービスと非リアル・タイム・サービスを含むコンテントを備える。例えば、サービスは、ニュース、スポーツ、天気、金融情報、映画、及び／又はアプリケーションを含むマルチメディア・コンテント、プログラム、スクリプト、若しくはいずれかの他のタイプの好適なコンテント又はサービスを備える。そのように、サービスは、ビデオ、オーディオ、又はいずれかの好適なフォーマットにフォーマット化された他の情報を備えることができる。
【００２１】
コンテントは、送信論理回路１１６に入力され、それはコンテントを処理して、上記されたように伝送フレームを生成する。送信論理回路１１６は、伝送波形１１８としてネットワーク１０６を介して伝送フレームを送信するように動作する。例えば、伝送フレームは、ブロードキャスト・チャネルを使用してネットワーク１１０を介して配布されることができる。
【００２２】
デバイス１０２は、推定論理回路１２０において伝送波形１１８を受信する。推定論理回路１２０は、デバイス１０２において経験される信号エネルギー及び干渉エネルギーを決定するように動作する。例えば、信号エネルギーは、デバイスにおいて受信される信号強度に基づく。干渉エネルギーは、例えば、熱雑音、ＲＦ雑音、及び／又はいずれかの他の同一チャネル干渉のような、雑音の１又はそれより多くのソースを示す。
【００２３】
１つの態様では、伝送波形１１８において受信した３つの連続するシンボルは、フィルタリングされたチャネル推定値１２２へと変換される。フィルタリングされたチャネル推定値１２２のより詳細な説明は、本明細書の別の部分で与えられる。フィルタリングされたチャネル推定値１２２は、適応推定器１２４へ入力される。適応推定器１２４は、フィルタリングされたチャネル推定値１２２に適応的にしきい値を適用して、信号推定値及び干渉推定値１２６を生成する。信号推定値及び干渉推定値１２６は、補償器１２８へ入力される。補償器１２８は、干渉推定値を使用して信号推定値を補償して、信号エネルギー（Ｃ）を生成するように動作する。干渉推定値は、同様に補償されて、干渉エネルギー（Ｉ）を生成する。信号エネルギー（Ｃ）と干渉エネルギー（Ｉ）は、デバイス１０２により経験される伝送チャネル性能を記述し、そしてそれゆえ、受信機性能を決定するだけでなく、向上させるために使用されることができる。
【００２４】
それゆえ、推定システムの態様は、下記の機能の１又はそれより多くを実行することによって信号エネルギー及び干渉エネルギーを決定するように動作する。
【００２５】
ａ．伝送波形を受信する。
【００２６】
ｂ．受信した伝送波形を処理して、フィルタリングされたチャネル推定値を生成する。
【００２７】
ｃ．フィルタリングされたチャネル推定値に適応的にしきい値を適用して、信号エネルギー推定値及び干渉エネルギー推定値を決定する。
【００２８】
ｄ．信号エネルギー推定値及び干渉エネルギー推定値を補償して、信号エネルギー及び干渉エネルギーを決定する。
【００２９】
上記のように、フィルタリングされたチャネル推定値は、適応推定器１２４により処理される。しきい値の値は、フィルタリングされたチャネル推定値をしきい値処理するために使用されて、信号エネルギー推定値を生成する。１つの態様では、適応推定器１２４は、前の信号エネルギー推定値に基づいてしきい値の値を調節するように動作する。例えば、１つの態様では、信号エネルギー推定値が高い場合、しきい値は減少される。信号エネルギー推定値が低い場合、しきい値は増加される。
【００３０】
それゆえ、推定システムの態様は、受信するデバイスにおける信号エネルギー及び干渉エネルギーを効率的に決定するように動作する。推定システムが図１を参照して記述した手段（implementation）に限定されず、そして他の手段が可能であることが、注目されるはずである。
【００３１】
図２は、推定システムにおいて使用するための受信論理回路２００の１態様を示す。受信論理回路２００は、シンボル受信機２０４及び時間ドメイン変換器２０８を具備する。１つの態様では、シンボル受信機２０４は、ハードウェア、ソフトウェア、又はそれらの任意の組み合わせを備え、そして伝送波形を受信するように動作する。例えば、伝送波形は、図１に示されたＯＦＤＭネットワーク１１０を介して受信されることができる。シンボル受信機２０４は、伝送波形２０２を処理し、３つの連続するＯＦＤＭシンボルからパイロット・シンボル２０６を出力するように動作する。例えば、シンボル受信機２０４は、自動利得制御（ＡＧＣ：automatic gain control）回路２１２を備え、それは伝送波形２０２を受信しそして処理するために使用される。干渉は、３つのシンボルにわたり相関していないと仮定する。
【００３２】
時間ドメイン変換器２０８は、ハードウェア、ソフトウェア、又はそれらの任意の組み合わせを備え、そしてパイロット・シンボル２０６を受信し、そしてそれらを時間ドメインに変換して、フィルタリングされたチャネル推定値２１０を生成するように動作する。例えば、フィルタリングされたチャネル推定値２１０は、１０２４タップを備え、そこでは、各タップは、信号、干渉、又は信号と干渉のある組み合わせを表しているエネルギーを具備する。
【００３３】
図３は、推定システムにおいて使用するためのフィルタリングされたチャネル推定値３００の１態様を図示する。例えば、フィルタリングされたチャネル推定値３００は、上に記述されたように受信論理回路２００により生成されることができる。
【００３４】
フィルタリングされたチャネル推定値３００は、１０２４タップのエネルギー・レベルを備える。例えば、フィルタリングされたチャネル推定値３００は、３０２で示されるように、相対的に大きなエネルギー・レベルを有するタップを備え、それは信号エネルギー（Ｃ）を示す。フィルタリングされたチャネル推定値３００は、３０４で示されるように、相対的に小さなエネルギー・レベルを有するタップを備え、それは干渉エネルギーを示す。
【００３５】
１つの態様では、推定システムは、適応しきい値３０６のレベルを設定するように動作し、それは主に干渉エネルギー（Ｉ）を有するタップと主に信号エネルギー（Ｃ）を有するタップを識別するために使用される。例えば、しきい値３０６より下のエネルギー・レベルは、干渉エネルギーであると判断され、そしてしきい値３０６より上の又はそれに等しいエネルギー・レベルは、信号エネルギーであると判断される。１又はそれより多くの態様では、しきい値のレベルは、適応的に調節される。例えば、１つの態様では、しきい値３０６は、判断された信号エネルギーが低い場合には増加され、そして判断された信号エネルギーが高い場合には減少される。
【００３６】
図４は、推定システムにおいて使用するための推定論理回路４００の１態様を示す。例えば、推定論理回路４００は、図１に示された適応推定器１２４として使用するために適している。１又はそれより多くの態様では、推定論理回路４００は、ＣＰＵ、プロセッサ、ゲート・アレイ、ハードウェア論理回路、バーチャル・マシーン、ソフトウェア、及び／又はハードウェアとソフトウェアの任意の組み合わせを備える。例えば、１つの態様では、推定論理回路４００は、アナログ回路系及び／又はディジタル回路系の使用を通して完全にハードウェアで実装されることができる。別の１つの態様では、推定論理回路４００は、プログラム可能なゲート・アレイ、メモリ、及び／又は他のプログラム可能な論理回路の使用を通してハードウェアとソフトウェアとの組み合わせを使用して実装されることができる。別の１つの態様では、推定論理回路４００は、少なくとも１つのプロセッサにより実行される命令を備えているコンピュータ・プログラムとして完全にソフトウェアで実装されることができる。
【００３７】
乗算器４０４，４０６は、フィルタリングされたチャネル推定値４０２のそれぞれＩサンプル及びＱサンプルを二乗し、そして加算器４０８へ結果を与えるように動作する。加算器４０８は、セレクタ４１４及びしきい値論理回路４１２へ二乗和を出力する。しきい値論理回路４１２は、加算器４０８出力を適応しきい値の値と比較するように動作する。
【００３８】
１つの態様では、しきい値論理回路４１２は、基準信号４２６に基づいて初期しきい値レベルを設定するように動作する。例えば、基準信号４２６は、受信信号強度インディケータ（ＲＳＳＩ：received signal strength indicator）に関する基準目標値に基づくことがある。しかしながら、初期しきい値レベルは、任意の他のパラメータ又はインディケータに基づくことがある。しきい値論理回路４１２は、加算器４０８の出力を現在のしきい値の値と比較し、そして選択信号４２８を生成する、その選択信号４２８は、加算器４０８出力がしきい値の値よりも大きい又はそれに等しい場合には第１の状態（Ａ）に設定され、そして加算器４０８出力がしきい値の値よりも小さい場合には第２の状態（Ｂ）に設定される。しきい値論理回路４１２は、しかも、しきい値の値よりも大きい又はそれに等しいサンプルの数（Ｎｃ）及びしきい値の値よりも低いサンプルの数（Ｎｉ）を追跡し続ける。
【００３９】
選択信号４２８は、セレクタ４１４へ入力される。セレクタ４１４は、加算器４０８からの出力とゼロの固定値（０）を受け取るように動作する。セレクタ４１４は、選択信号４２８に基づいて自身の入力のうちの１つを選択して、自身の出力において与えるように動作する。選択信号４２８が第１の状態（Ａ）である場合には、セレクタ４１４は、加算器４０８の出力を選択して、セレクタ４１４出力において与える。選択信号４２８が第２の状態（Ｂ）である場合には、セレクタ４１４は、固定値（０）を選択して、セレクタ４１４出力において与える。そのように、しきい値論理回路４１２により使用されるしきい値の値に基づいて、セレクタ４１４は、しきい値の値よりも大きい又はそれに等しい、加算器４０８から出力されるそれらの「二乗和」を通過させるだけである。
【００４０】
セレクタ４１４の出力は、加算器４１６に入力される。加算器４１６は、信号推定値（Ｃｅｓｔ）４２２を表すフィードバック信号にセレクタ４１４の出力を加えるように動作する。信号推定値（Ｃｅｓｔ）は、主に信号エネルギー足すある少量の干渉エネルギーを表す。加算器４１６の出力は、信号制限機能を与える飽和論理回路４１８に入力される。飽和論理回路４１８の出力は、累算論理回路４２０に与えられ、それは複数のサンプルにわたりエネルギーを累算して、信号推定値（Ｃｅｓｔ）４２２を生成する。
【００４１】
しきい値論理回路４１２の動作の一部として、信号推定値（Ｃｅｓｔ)４２２は、しかも、遅延論理回路４３０を通った後でしきい値論理回路４１２へ入力される。例えば、１つの態様では、しきい値は、前のフレームにおいて決定される信号推定値に基づいて適応される。それゆえ、信号推定値（Ｃｅｓｔ)４２２は、遅延論理回路４３０に入力され、そして信号推定値（Ｃｅｓｔ)４２２の遅延版４２４は、遅延論理回路４３０から出力され、そしてしきい値論理回路４１２に入力される。しきい値論理回路４１２は、信号推定値（Ｃｅｓｔ)４２２の遅延版４２４に基づいて現在のしきい値の値を調節するように動作する。例えば、信号推定値（Ｃｅｓｔ)４２２が増加するにつれて、しきい値論理回路４１２は、しきい値の値を減少させ、そして信号推定値(Ｃｅｓｔ)４２２が減少するにつれて、しきい値論理回路４１２は、しきい値の値を増加させるように動作する。
【００４２】
１つの態様では、推定システムは、コンピュータ読取り可能な媒体に記憶された１又はそれより多くのプログラム命令（「命令」）を有するコンピュータ・プログラムを備え、それは少なくとも１つのプロセッサによって実行されるときに、本明細書中に記述された推定システムの機能を与える。例えば、命令は、フロッピー（登録商標）ディスク、ＣＤＲＯＭ、メモリ・カード、ＦＬＡＳＨメモリ・デバイス、ＲＡＭ、ＲＯＭ、及び任意の別のタイプのメモリ・デバイスのような、コンピュータ読取り可能な媒体から推定論理回路４００へとロードされることができる。別の１つの態様では、命令は、外部デバイス又はネットワーク・リソースから推定論理回路４００へとダウンロードされることができる。推定論理回路４００により実行されるとき、命令は、本明細書中に記述されたような推定システムの態様を提供するように動作する。
【００４３】
そのように、推定論理回路４００は、受信デバイスにおいて経験されるような通信ネットワークにおける信号推定値（Ｃｅｓｔ）を決定するように動作する。推定論理回路４００は１つの手段にすぎないだけであり、そして別の手段が様々な態様の範囲内で可能であることが、注目されるはずである。
【００４４】
図５は、推定システムにおいて使用するための推定論理回路５００の１態様を示す。例えば、推定論理回路５００は、図１に示された適応推定器１２４として使用するために適している。推定論理回路５００は、干渉推定値（Ｉｅｓｔ）５１２を決定するための追加の機能を有する推定論理回路４００を具備する。
【００４５】
推定論理回路５００は、ＣＰＵ、プロセッサ、ゲート・アレイ、ハードウェア論理回路、バーチャル・マシーン、ソフトウェア、及び／又はハードウェアとソフトウェアの任意の組み合わせを備える。例えば、１つの態様では、推定論理回路５００は、アナログ回路系及び／又はディジタル回路系の使用を通して完全にハードウェアで実装されることができる。別の１つの態様では、推定論理回路５００は、プログラム可能なゲート・アレイ、メモリ、及び／又は他のプログラム可能な論理回路の使用を通してハードウェアとソフトウェアとの組み合わせを使用して実装されることができる。別の１つの態様では、推定論理回路５００は、少なくとも１つのプロセッサにより実行される命令を備えているコンピュータ・プログラムとして完全にソフトウェアで実装されることができる。
【００４６】
上記のように、加算器４０８は、しきい値論理回路４１２へ二乗和を出力する。二乗和は、セレクタ５０４へ同様に入力される。セレクタ５０４は、選択信号４２８を受け取り、それは、加算器４０８の出力が現在のしきい値の値よりも大きい又はそれに等しい場合には第１の状態（Ａ）に設定され、そして加算器４０８の出力が現在のしきい値の値よりも小さい場合には第２の状態（Ｂ）に設定される。セレクタ５０４は、入力として加算器４０８の出力とゼロの固定値（０）を受け取る。選択信号４２８に基づいて、セレクタ５０４は、自身の入力のうちの１つを選択して、自身の出力において与える。例えば、選択信号４２８が第１の状態（Ａ）である場合には、セレクタ５０４は、固定値（０）を出力する。選択信号４２８が第２の状態（Ｂ）である場合には、セレクタ５０４は、加算器４０８から受け取った値を出力する。そのように、しきい値論理回路４１２により使用されるしきい値の値に基づいて、セレクタ５０４は、しきい値の値よりも小さいそれらの「二乗和」を通過させるだけである。
【００４７】
セレクタ５０４の出力は、加算器５０６へ入力される。加算器５０６は、干渉推定値（Ｉｅｓｔ）５１２を表すフィードバック信号にセレクタ５０４の出力を加算するように動作する。干渉推定値（Ｉｅｓｔ）５１２は、干渉であると考えられるエネルギーを表す。加算器５０６の出力は、信号を制限することを提供する飽和論理回路５０８へ入力される。飽和論理回路５０８の出力は、累算論理回路５１０へ入力され、それは複数のサンプルにわたりエネルギーを累算して、干渉推定値（Ｉｅｓｔ）５１２を生成する。
【００４８】
上記のように、しきい値論理回路４１２は、信号推定値（Ｃｅｓｔ)４２２の遅延版に基づいて現在のしきい値の値を調節するように動作する。例えば、信号推定値４２２が増加するにつれて、しきい値論理回路４１２は、しきい値の値を減少させ、そして信号エネルギー４２２が減少するにつれて、しきい値論理回路４１２は、しきい値の値を増加させるように動作する。
【００４９】
１つの態様では、推定システムは、コンピュータ読取り可能な媒体に記憶された１又はそれより多くのプログラム命令（「命令」）を有するコンピュータ・プログラムを備え、それは少なくとも１つのプロセッサによって実行されるときに、本明細書中に記述された推定システムの機能を与える。例えば、命令は、フロッピー・ディスク、ＣＤＲＯＭ、メモリ・カード、ＦＬＡＳＨメモリ・デバイス、ＲＡＭ、ＲＯＭ、及び任意の別のタイプのメモリ・デバイスのようなコンピュータ読取り可能な媒体から推定論理回路５００へとロードされることができる。別の１つの態様では、命令は、外部デバイス又はネットワーク・リソースから推定論理回路５００へとダウンロードされることができる。推定論理回路５００により実行されるとき、命令は、本明細書中に記述されたような推定システムの態様を提供するように動作する。
【００５０】
そのように、推定論理回路５００は、受信デバイスにおいて経験されるような通信ネットワークにおけるチャネル推定値及び干渉推定値を決定するように動作する。推定論理回路５００は１つの手段にすぎないだけであり、そして別の手段が複数の態様の範囲内で可能であることが、注目されるはずである。
【００５１】
信号エネルギー及び干渉エネルギー決定
一旦、信号推定値と干渉推定値が決定されると、推定システムの態様は、信号エネルギー（Ｃ）と干渉エネルギー（Ｉ）を決定するように動作する。
【００５２】
図６は、推定システムにおいて使用するための補償論理回路６００の１態様を示す。例えば、補償論理回路６００は、図１に示された補償器１２８として適している。
【００５３】
補償論理回路６００は、ＣＰＵ、プロセッサ、ゲート・アレイ、ハードウェア論理回路、バーチャル・マシーン、ソフトウェア、及び／又はハードウェアとソフトウェアの任意の組み合わせを備える。例えば、１つの態様では、補償論理回路６００は、アナログ回路系及び／又はディジタル回路系の使用を通して完全にハードウェアで実装されることができる。別の１つの態様では、補償論理回路６００は、プログラム可能なゲート・アレイ、メモリ、及び／又は他のプログラム可能な論理回路の使用を通してハードウェアとソフトウェアとの組み合わせを使用して実装されることができる。別の１つの態様では、補償論理回路６００は、少なくとも１つのプロセッサにより実行される命令を備えているコンピュータ・プログラムとして完全にソフトウェアで実装されることができる。
【００５４】
１つの態様では、干渉推定値Ｉｅｓｔは、平均干渉推定値Ｉａｖｇを与えるように処理されることができる。例えば、除算論理回路６１０は、干渉推定値６０２をサンプルの数（Ｎｉ）６０４で除算して、平均干渉推定値Ｉａｖｇ６１２を生成するように動作する。
【００５５】
例えば、平均干渉推定値Ｉａｖｇは、次式として表わされることができる。  
Ｉａｖｇ＝Ｉｅｓｔ／Ｎｉ
一旦、Ｉａｖｇが決定されると、信号推定値（Ｃｅｓｔ）中の干渉エネルギーの大きさは、決定されることができる。１つの態様では、乗算器６１４は、サンプルの数（Ｎｃ）６０６とＩａｖｇ６１２を乗算するように動作する。これは、結果として信号干渉（Ｉｃ）６１６をもたらし、次式として表わされることができる。
【００５６】
Ｉｃ＝Ｉａｖｇ＊Ｎｃ
一旦、Ｉｃが決定されると、信号エネルギー（Ｃ）は、決定されることができる。１つの態様では、減算論理回路６２２は、信号推定値（Ｃｅｓｔ）６０８から信号干渉（Ｉｃ）６１６を減算するように動作する。これは、結果として信号エネルギー（Ｃ）６２４をもたらし、次式として表わされる。  
Ｃ＝Ｃｅｓｔ−Ｉｃ
さらに、Ｉｃは、干渉エネルギー（Ｉ）を決定するために使用される。１つの態様では、加算器６１８は、信号干渉（Ｉｃ）６１６を干渉推定値（Ｉｅｓｔ）６０２に加算するように動作する。これは、結果として干渉エネルギー（Ｉ）６２０をもたらし、次式として表わされる。  
Ｉ＝Ｉｅｓｔ＋Ｉｃ
１つの態様では、推定システムは、コンピュータ読取り可能な媒体に記憶された１又はそれより多くのプログラム命令（「命令」）を有するコンピュータ・プログラムを備え、それは少なくとも１つのプロセッサによって実行されるときに、本明細書中に記述された推定システムの機能を与える。例えば、命令は、フロッピー・ディスク、ＣＤＲＯＭ、メモリ・カード、ＦＬＡＳＨメモリ・デバイス、ＲＡＭ、ＲＯＭ、及び任意の別のタイプのメモリ・デバイスのようなコンピュータ読取り可能な媒体から補償論理回路６００へとロードされることができる。別の１つの態様では、命令は、外部デバイス又はネットワーク・リソースから補償論理回路６００へとダウンロードされることができる。補償論理回路６００により実行されるとき、命令は、本明細書中に記述されたような推定システムの態様を提供するように動作する。
【００５７】
そのように、補償論理回路６００は、受信デバイスにおいて経験されるような通信ネットワークにおける信号エネルギー及び干渉エネルギーを決定するように動作する。補償論理回路６００は１つの手段にすぎないだけであり、そして別の手段が複数の態様の範囲内で可能であることが、注目されるはずである。
【００５８】
図７は、推定システムを与えるための方法７００の１態様を示す。例えば、１つの態様では、推定論理回路５００及び補償論理回路６００は、下記に記述されるような方法７００を実行するように構成される。
【００５９】
ブロック７０２において、伝送波形は受信される。例えば、伝送波形は、ＯＦＤＭネットワークを経由して受信され、そしてある数のＯＦＤＭシンボルを備える。１つの態様では、波形は、受信論理回路２００において受信される。
【００６０】
ブロック７０４において、フィルタリングされたチャネル推定値が生成される。例えば、フィルタリングされたチャネル推定値は、１０２４タップを備え、ここで、各タップは、ある量のエネルギーを備える。１つの態様では、受信論理回路２００は、受信した伝送波形からフィルタリングされたチャネル推定値を生成するように動作する。
【００６１】
ブロック７０６において、しきい値の値が設定される。例えば、しきい値の値は、フィルタリングされたチャネル推定値を処理するために使用される。例えば、しきい値の値は、ＲＳＳＩに関係付けられた基準目標値に基づいて初期値に設定されることができる。１つの態様では、しきい値は、ブロック７０８において決定される信号推定値の遅延版に基づいて設定される。１つの態様では、しきい値論理回路４１２は、しきい値の値を設定するように動作する。
【００６２】
ブロック７０８において、信号推定値（Ｃｅｓｔ）は、計算される。例えば、信号推定値（Ｃｅｓｔ)は、しきい値の値よりも大きいかそれに等しいフィルタリングされたチャネル推定値のエネルギーを累計することによって計算される。１つの態様では、推定論理回路５００は、信号推定値（Ｃｅｓｔ)を計算するように動作する。
【００６３】
ブロック７１０において、干渉推定値（Ｉｅｓｔ）が計算される。例えば、干渉推定値（Ｉｅｓｔ）は、しきい値の値よりも小さいフィルタリングされたチャネル推定値のエネルギーを累計することによって計算される。１つの態様では、推定論理回路５００は、干渉推定値（Ｉｅｓｔ）を計算するように動作する。
【００６４】
ブロック７１２において、信号エネルギー（Ｃ）と干渉エネルギー（Ｉ）は、計算される。例えば、信号エネルギー（Ｃ）は、信号エネルギー推定値（Ｃｅｓｔ）からチャネル干渉（Ｉｃ）エネルギーを取り除くことにより計算される。干渉エネルギー（Ｉ）は、干渉エネルギー推定値（Ｉｅｓｔ）にチャネル干渉（Ｉｃ）エネルギーを加算することにより計算される。１つの態様では、補償論理回路６００は、信号エネルギー（Ｃ）と干渉エネルギー（Ｉ）を計算するように動作する。
【００６５】
ブロック７１４において、しきい値が調節される必要があるかどうかを判断するために、試験が実行される。例えば、しきい値は、信号推定値又は干渉推定値に基づいて調節されることができる。１つの態様では、しきい値が調節される必要がある場合には、方法は、ブロック７１６へ進む。しきい値が調節される必要がない場合には、方法は、ブロック７０８へ進む。
【００６６】
ブロック７１６において、信号エネルギー推定値（Ｃｅｓｔ）は、遅延される。例えば、しきい値論理回路４１２は、前のフレームにおいて決定された信号エネルギー推定値（Ｃｅｓｔ）に基づいてしきい値の値を調節するように動作する。１つの態様では、遅延論理回路４３０は、信号エネルギー推定値（Ｃｅｓｔ）を遅延させるように動作し、そして信号エネルギー推定値の遅延版をしきい値論理回路４１２に与える。
【００６７】
そのように、方法７００は、受信デバイスにより経験されるように通信システムにおける信号エネルギー及び干渉エネルギーを決定するように動作する。方法７００は、１つの手段にすぎず、方法７００の変更、追加、削除、組み合わせ又は他の変形は、本態様の範囲内で可能であることが、注目されるはずである。
【００６８】
代わりの推定器
図８は、推定システムにおいて使用するための推定論理回路８００の１態様を示す。例えば、推定論理回路８００は、図１に示された適応推定器１２４の一部として使用するために適している。１又はそれより多くの態様では、ＣＰＵ、プロセッサ、ゲート・アレイ、ハードウェア論理回路、バーチャル・マシーン、ソフトウェア、及び／又はハードウェアとソフトウェアの任意の組み合わせを備える。例えば、１つの態様では、推定論理回路８００は、アナログ回路系及び／又はディジタル回路系の使用を通して完全にハードウェアで実装されることができる。別の１つの態様では、推定論理回路８００は、プログラム可能なゲート・アレイ、メモリ、及び／又は他のプログラム可能な論理回路の使用を通してハードウェアとソフトウェアとの組み合わせを使用して実装されることができる。別の１つの態様では、推定論理回路８００は、少なくとも１つのプロセッサにより実行される命令を備えているコンピュータ・プログラムとして完全にソフトウェアで実装されることができる。
【００６９】
乗算器８０４，８０６は、フィルタリングされたチャネル推定値８０２のそれぞれＩサンプル及びＱサンプルを二乗し、そして加算器８０８へ結果を与えるように動作する。加算器８０８は、セレクタ８１０へ二乗和を出力する。
【００７０】
セレクタ８１０は、加算器８０８からの出力とゼロの固定値（０）を受け取るように動作する。セレクタ８１０は、選択信号８１２に基づいて自身の入力のうちの１つを選択して、自身の出力において与えるように動作する。選択信号８１２は、切捨てウィンドを形成するｋの値に基づく。例えば、切捨てウィンド内に干渉推定値の一部として何の信号成分もない、と仮定する。ｋが切捨てウィンドを規定する開始インデックスよりも大きいかそれに等しく、そして終了インデックスよりも小さい場合には、選択信号８１２は、第１の状態（Ａ）に設定される。それ以外は、選択信号８１２は第２の状態（Ｂ）に設定される。選択信号８１２が第１の状態（Ａ）である場合には、セレクタ８１０は、加算器４０８の出力を選択して、セレクタ８１０出力において与える。選択信号８１２が第２の状態（Ｂ）である場合には、セレクタ８１０は、固定値ゼロ（０）を選択して、セレクタ８１０出力において与える。そのように、ｋが切捨てウィンド内であるときに、セレクタ８１０は、加算器８０８により与えられた「二乗和」を通過させるだけである。
【００７１】
セレクタ８１０の出力は、加算器８１４に入力される。加算器８１４は、干渉推定値（Ｉｅｓｔ）８２０を表すフィードバック信号にセレクタ８１０の出力を加えるように動作する。加算器８１４の出力は、飽和論理回路８１６に入力され、それは信号制限機能を与える。飽和論理回路８１６の出力は、累算論理回路８１８に与えられ、それは複数のサンプルにわたりエネルギーを累計して、干渉推定値（Ｉｅｓｔ）８２０を生成する。
【００７２】
結果として、推定論理回路８００は、次式にしたがって切捨てウィンドに基づいて干渉推定値（Ｉｅｓｔ）を与えるように動作する；  
【数１】
2010511355.tif 000003
【００７３】
ここで、ｎ０は切捨てウィンドの開始インデックスであり、Ｗは切捨てウィンドの長さであり、そしてｈ〜ｋはフィルタリングされたチャネル推定値中のタップｋを表す。切捨てウィンド中の累計されたエネルギーは、受信機において見られる全干渉レベルを反映するようにスケーリングされる。
【００７４】
信号エネルギーと干渉エネルギーの合計は、全受信エネルギー（Ｒ）であり、そして自動利得制御（ＡＧＣ）ブロック（ずなわち、図２に示されるブロック２１２）における受信した信号サンプルのエネルギーから推定される。  
Ｒ＝Ｃ＋Ｉ＝２０．３３（Ｅｍｅａｓ／Ｅｒｅｆ）
上の式において、ＡＧＣ２１２は、受信した信号が２０．３３のエネルギー・レベルを有するように、受信した信号をスケーリングすることを試みる。明らかに、２０．３３の目標値は、１つの手段（implementation）に特有であり、そして別の手段においていずれかの別の数であり得る。比Ｅｍｅａｓ／Ｅｒｅｆは、実際に受信したエネルギーが目標値からどれだけずれているかを表す尺度であり、そしてＡＧＣ２１２において推定されることができる。
【００７５】
干渉の推定値と全受信強度に基づいて、信号エネルギーは、次式のように推定されることができる。  
Ｃｅｓｔ＝Ｒ−Ｉｅｓｔ
干渉エネルギー及び信号エネルギーに関する上記の推定量は、それがしきい値設定に依存しないという利点を有する。しかしながら、何の信号成分も切捨てウィンド内に存在しないことを仮定する。
【００７６】
１つの態様では、推定論理回路８００は、推定論理回路５００と統合される。この態様では、選択したしきい値の値未満ＯＲ切捨てウィンド内になるチャネル推定タップは、干渉と考えられ、そしてそれらのエネルギーは、干渉エネルギーをもたらすように累計される。信号エネルギーは、選択したしきい値より大きくＡＮＤ切捨てウィンドの外であるタップから得られる。信号エネルギーは、しかも、干渉エネルギーとＡＧＣ２１２からの全エネルギーの推定値から得られることができる。
【００７７】
１つの態様では、推定システムは、コンピュータ読取り可能な媒体に記憶された１又はそれより多くのプログラム命令（「命令」）を有するコンピュータ・プログラムを備え、それは少なくとも１つのプロセッサによって実行されるときに、本明細書中に記述された推定システムの機能を与える。例えば、命令は、フロッピー・ディスク、ＣＤＲＯＭ、メモリ・カード、ＦＬＡＳＨメモリ・デバイス、ＲＡＭ、ＲＯＭ、及び任意の別のタイプのメモリ・デバイスのような、コンピュータ読取り可能な媒体から推定論理回路８００へとロードされることができる。別の１つの態様では、命令は、外部デバイス又はネットワーク・リソースから推定論理回路８００へとダウンロードされることができる。推定論理回路８００により実行されるとき、命令は、本明細書中に記述されたような推定システムの態様を提供するように動作する。
【００７８】
そのように、推定論理回路８００は、受信デバイスにおいて経験されるような通信ネットワークにおける干渉推定値（Ｉｅｓｔ）を決定するように動作する。推定論理回路８００は１つの手段にすぎないだけであり、そして別の手段が様々な態様の範囲内で可能であることが、注目されるはずである。
【００７９】
別の態様では、推定システムは、別のアルゴリズムに基づいて干渉推定値（Ｉｅｓｔ）を決定するように変形されることができる。例えば、システムは、下記に基づいて干渉推定値（Ｉｅｓｔ）を決定するように動作することが可能である。
【００８０】
Ａ．  チャネル推定値の差異に基づく干渉推定値（Ｉｅｓｔ）  
【数２】
2010511355.tif 000004
【００８１】
Ｂ．  時間フィルタリングの前のチャネル推定値の差異に基づく干渉推定値（Ｉｅｓｔ）；  
【数３】
2010511355.tif 000005
【００８２】
ここで、一般的にδ＝１又は２である。時間フィルタリングの前のチャネル推定値は、パイロット・キャリア観測のＩＦＦＴを行い、引き続いてパイロット・インターレースのスタガリング・フェーズ（staggering phase）によるフェーズ・ランプ（phase ramp）操作により得られることができる。
【００８３】
上記の推定量ＡとＢは、異なるＯＦＤＭシンボルからのチャネル推定値の差異をとることに基づく。タップが信号成分を含む場合には、干渉推定値は、異なるＯＦＤＭシンボル全体にわたるこの成分の変化からの寄与を有する。この寄与は、切捨てウィンドだけにわたる干渉を累計することにより最小にされる。それに加えて、干渉エネルギーは、異なるＯＦＤＭシンボルにわたり変動することがあり、それはこれらのシンボルに適用されるＡＧＣ利得の差異のためである。ＡＧＣ利得が受信機において既知であるので、利得変動は、補償されることができる。例えば、推定量Ｂは、次式のように変形されることができる；  
【数４】
2010511355.tif 000006
【００８４】
ここで、ＧｎはＯＦＤＭシンボルｎにおけるＡＧＣ利得である。
【００８５】
別の１つの態様では、推定量は、３ＯＦＤＭシンボル中の時間フィルタリング前のチャネル推定値に基づいて与えられる。  
【数５】
2010511355.tif 000007
【００８６】
ここで、ｈ＾ｋ（ｎ）は、３ＯＦＤＭシンボル中の時間フィルタリング前のチャネル推定値のタップｋである。そのような推定量は、干渉推定値から信号だけでなく信号中のいかなる線形時間変動をも除去するという利点を有するが、追加の計算を必要とする。
【００８７】
図９は、推定システム９００の１態様を示す。推定システム９００は、しきい値の値を設定するための手段（９０２）を具備する。例えば、１つの態様では、手段９０２は、しきい値論理回路４１２を具備する。推定システム９００は、しかも、フィルタリングされたチャネル推定値をしきい値の値と比較するための手段（９０４）を具備する。例えば、１つの態様では、手段９０４は、しきい値論理回路４１２を具備する。推定システム９００は、しかも、干渉推定値を平均するための手段（９０６）を具備する。例えば、１つの態様では、手段９０６は、除算論理回路６１０を具備する。推定システム９００は、しかも、干渉エネルギーを決定するための手段（９０８）を具備する。例えば、１つの態様では、手段９０８は、合計論理回路６０８を具備する。
【００８８】
１つの態様では、手段９０２，９０４，９０６及び９０８は、プログラム命令を実行するように構成された少なくとも１つのプロセッサにより実装されて、本明細書中に記述したような推定システムの態様を提供する。
【００８９】
それゆえ、本明細書中に開示された態様に関連して述べられた、様々な例示的な論理回路、論理ブロック、モジュール、及び回路は、汎用プロセッサ、ディジタル信号プロセッサ（ＤＳＰ：digital signal processor）、用途特定集積回路（ＡＳＩＣ：application specific integrated circuit）、フィールド・プログラマブル・ゲートアレイ（ＦＰＧＡ：field programmable gate array）又は他のプログラマブル論理デバイス、ディスクリート・ゲート論理回路又はトランジスタ論理回路、ディスクリート・ハードウェア・コンポーネント、又は本明細書中に説明された機能を実行するために設計されたこれらのいずれかの組み合わせで、実装される又は実行されることができる。汎用プロセッサは、マイクロプロセッサであり得るが、しかし代わりに、プロセッサは、いずれかの従来型のプロセッサ、コントローラ、マイクロコントローラ、又はステート・マシンであり得る。プロセッサは、演算デバイスの組み合わせとして実装されることができ、例えば、ＤＳＰとマイクロプロセッサとの組み合わせ、複数のマイクロプロセッサの組み合わせ、ＤＳＰコアとともに１又はそれより多くのマイクロプロセッサの組み合わせ、若しくはいずれかの別のそのような構成の組み合わせであり得る。
【００９０】
本明細書中に開示された態様に関連して説明された方法又はアルゴリズムのステップは、ハードウェアにおいて、プロセッサにより実行されるソフトウェア・モジュールにおいて、又は両者の組み合わせにおいて直接実現されることができる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、脱着可能なディスク、ＣＤ−ＲＯＭ、又はこの分野において公知のいずれかの他の記憶媒体の中に存在できる。ある具体例の記憶媒体は、プロセッサと接続され、その結果、プロセッサが記憶媒体から情報を読み出し、そしてそこに情報を書き込むことができる。あるいは、記憶媒体は、プロセッサに集積されることができる。プロセッサ及び記憶媒体は、ＡＳＩＣ中に存在できる。ＡＳＩＣは、ユーザ端末中に存在できる。あるいは、プロセッサ及び記憶媒体は、ユーザ端末中の単体素子として存在できる。
【００９１】
開示された態様の説明は、当業者が、本発明を実行する又は使用することを可能にするために提供される。これらの態様への様々な変形は、当業者に容易に明白にされるであろう、そして、ここで規定された一般的な原理は、本発明の精神又は範囲から逸脱することなく別の態様、例えば、即時メッセージ送信サービス又は汎用無線データ通信アプリケーション、に適用されることができる。それのように、本発明は、本明細書中に示された態様に限定するように意図したものではなく、本明細書中に開示した原理及び新奇な機能と整合する最も広い範囲に適用されるものである。用語“具体例の（exemplary）”は、“例、事例、又は例示として働くこと”を意味するように本明細書中では包括的に使用される。“具体例の“として本明細書中で記載されたいずれかの態様が、他の態様に対して好ましい又は優位であるとして解釈される必要はない。
【００９２】
したがって、推定システムの複数の態様が本明細書中に例示されそして記述されてきているとはいえ、様々な変更がそれらの精神又は本質的な特性から乖離することなく本態様に行われ得ることが認識される。それゆえ、本明細書の開示及び記載は、添付した特許請求の範囲に記載される本発明の範囲の例示であるように意図され、限定するものではない。
【図１】
2010511355.tif 000008
【図２】
2010511355.tif 000009
【図３】
2010511355.tif 000010
【図４】
2010511355.tif 000011
【図５】
2010511355.tif 000012
【図６】
2010511355.tif 000013
【図７】
2010511355.tif 000014
【図８】
2010511355.tif 000015
【図９】
2010511355.tif 000016
【手続補正書】
【提出日】平成21年9月25日(2009.9.25)
【手続補正１】
【補正対象書類名】特許請求の範囲
【補正対象項目名】全文
【補正方法】変更
【補正の内容】
【特許請求の範囲】
【請求項１】
信号エネルギー及び干渉エネルギーを決定するための方法、前記方法は、
しきい値の値を設定すること、
干渉推定値（Ｉｅｓｔ）を決定するために、前記しきい値の値とチャネル推定値を比較すること、
平均チャネル干渉（Ｉｃ）を決定するために、前記干渉推定値（Ｉｅｓｔ）を平均すること、及び
前記干渉推定値（Ｉｅｓｔ）及び前記平均チャネル干渉（Ｉｃ）に基づいて干渉エネルギー（Ｉ）を決定すること、
を具備する、方法。
【請求項２】
信号推定値（Ｃｅｓｔ）を決定するために、前記しきい値の値と前記チャネル推定値を比較すること、及び
前記信号推定値（Ｃｅｓｔ）及び前記平均チャネル干渉（Ｉｃ）に基づいて信号エネルギー（Ｃ）を決定すること、
をさらに具備する、請求項１の方法。
【請求項３】
前記信号推定値（Ｃｅｓｔ）に基づいて前記しきい値の値を調節すること、をさらに具備する、請求項２の方法。
【請求項４】
前記信号エネルギーＣを決定するために、前記信号推定値Ｃｅｓｔから前記平均チャネル干渉Ｉｃを減算すること、をさらに具備する、請求項２の方法。
【請求項５】
前記決定することは、前記干渉エネルギーＩを決定するために、前記Ｉｅｓｔに前記Ｉｃを加算すること、を具備する、請求項１の方法。
【請求項６】
前記平均することは、
干渉平均値（Ｉａｖｇ）を決定するために、前記チャネル推定値の何個のサンプルが前記しきい値の値より低いかを示す第１のカウント（Ｎｉ）で前記干渉推定値Ｉｅｓｔを除算すること、及び
前記平均チャネル干渉Ｉｃを決定するために、前記チャネル推定値の何個のサンプルが前記しきい値の値より大きいかを示す第２のカウント（Ｎｃ）と前記Ｉａｖｇを乗算すること、
を具備する、請求項１の方法。
【請求項７】
前記設定することは、参照インディケータに基づいて前記しきい値の値を設定すること、を具備する、請求項１の方法。
【請求項８】
干渉部分として前記チャネル推定値の一部を特定する切捨てウィンドを生成すること、をさらに具備する、そしてここにおいて、前記干渉部分は、前記干渉推定値（Ｉｅｓｔ）を決定するために使用される、請求項１の方法。
【請求項９】
１又はそれより多くのシンボルを時間フィルタリングすることにより前記チャネル推定値を取得すること、をさらに具備する、請求項１の方法。
【請求項１０】
信号エネルギーＣを決定するために、受信した信号強度インディケータから前記干渉推定値Ｉｅｓｔを減算すること、をさらに具備する、請求項１の方法。
【請求項１１】
信号エネルギー及び干渉エネルギーを決定するための装置、前記装置は、
しきい値の値を設定し、そして干渉推定値（Ｉｅｓｔ）を決定するために、前記しきい値の値とチャネル推定値を比較するように構成されたしきい値論理回路、
平均チャネル干渉（Ｉｃ）を決定するために、前記干渉推定値（Ｉｅｓｔ）を平均するように構成された平均化論理回路、及び
前記干渉推定値（Ｉｅｓｔ）及び前記平均チャネル干渉（Ｉｃ）に基づいて干渉エネルギー（Ｉ）を決定するように構成された合計論理回路、
を具備する、装置。
【請求項１２】
前記しきい値論理回路は、信号推定値（Ｃｅｓｔ）を決定するために、前記しきい値の値と前記チャネル推定値を比較するようにさらに構成される、請求項１１の装置。
【請求項１３】
前記信号推定値（Ｃｅｓｔ）及び前記平均チャネル干渉（Ｉｃ）に基づいて信号エネルギー（Ｃ）を決定するように構成された減算論理回路をさらに具備する、請求項１２の装置。
【請求項１４】
前記しきい値論理回路は、前記信号推定値（Ｃｅｓｔ）に基づいて前記しきい値の値を調節するようにさらに構成される、請求項１１の装置。
【請求項１５】
前記平均化論理回路は、
干渉平均値（Ｉａｖｇ）を決定するために、前記フィルタリングされたチャネル推定値の何個のサンプルが前記しきい値の値より低いかを示す第１のカウント（Ｎｉ）で干渉推定値Ｉｅｓｔを除算するように構成された除算論理回路、及び
前記平均チャネル干渉Ｉｃを決定するために、前記フィルタリングされたチャネル推定値の何個のサンプルが前記しきい値の値より大きいかを示す第２のカウント（Ｎｃ）と前記Ｉａｖｇを乗算するように構成された乗算論理回路、
を具備する、請求項１１の装置。
【請求項１６】
前記しきい値論理回路は、参照インディケータに基づいて前記しきい値の値を設定するようにさらに構成される、請求項１１の装置。
【請求項１７】
干渉部分として前記チャネル推定値の一部を特定する切捨てウィンドを生成するように構成され、及び前記干渉推定値（Ｉｅｓｔ）を決定するために、前記干渉部分を使用するように構成された切捨て論理回路をさらに具備する、請求項１１の装置。
【請求項１８】
１又はそれより多くのシンボルを時間フィルタリングすることにより前記チャネル推定値を取得するように構成された論理回路、をさらに具備する、請求項１１の装置。
【請求項１９】
信号エネルギーＣを決定するために、受信した信号強度インディケータ（Ｒ）から前記干渉推定値Ｉｅｓｔを減算するように構成された論理回路、をさらに具備する、請求項１１の装置。
【請求項２０】
信号エネルギー及び干渉エネルギーを決定するための装置、前記装置は、
しきい値の値を設定するための手段、
干渉推定値（Ｉｅｓｔ）を決定するために、前記しきい値の値とチャネル推定値を比較するための手段、
平均チャネル干渉（Ｉｃ）を決定するために、前記干渉推定値（Ｉｅｓｔ）を平均するための手段、及び
前記干渉推定値（Ｉｅｓｔ）及び前記平均チャネル干渉（Ｉｃ）に基づいて干渉エネルギー（Ｉ）を決定するための手段、
を具備する、装置。
【請求項２１】
信号推定値（Ｃｅｓｔ）を決定するために、前記しきい値の値と前記チャネル推定値を比較するための手段、及び
前記信号推定値（Ｃｅｓｔ）及び前記平均チャネル干渉（Ｉｃ）に基づいて信号エネルギー（Ｃ）を決定するための手段、
をさらに具備する、請求項２０の装置。
【請求項２２】
前記信号推定値（Ｃｅｓｔ）に基づいて前記しきい値の値を調節するための手段、をさらに具備する、請求項２１の装置。
【請求項２３】
前記信号エネルギーＣを決定するために、前記信号推定値Ｃｅｓｔから前記平均チャネル干渉Ｉｃを減算するための手段、をさらに具備する、請求項２１の装置。
【請求項２４】
前記決定するための手段は、前記干渉エネルギーＩを決定するために、前記Ｉｅｓｔに前記Ｉｃを加算するための手段、を具備する、請求項２０の装置。
【請求項２５】
前記平均するための手段は、
干渉平均値（Ｉａｖｇ）を決定するために、フィルタリングされたチャネル推定値の何個のサンプルが前記しきい値の値より低いかを示す第１のカウント（Ｎｉ）で前記干渉推定値Ｉｅｓｔを除算するための手段、及び
前記平均チャネル干渉Ｉｃを決定するために、前記フィルタリングされたチャネル推定値の何個のサンプルが前記しきい値の値より大きいかを示す第２のカウント（Ｎｃ）と前記Ｉａｖｇを乗算するための手段、
を具備する、請求項２０の装置。
【請求項２６】
前記設定するための手段は、参照インディケータに基づいて前記しきい値の値を設定するための手段、を具備する、請求項２０の装置。
【請求項２７】
干渉部分として前記チャネル推定値の一部を特定する切捨てウィンドを生成するため、そして前記干渉推定値（Ｉｅｓｔ）を決定するために前記干渉部分を使用するための手段、をさらに具備する、請求項２０の装置。
【請求項２８】
１又はそれより多くのシンボルを時間フィルタリングすることにより前記チャネル推定値を取得するための手段、をさらに具備する、請求項２０の装置。
【請求項２９】
信号エネルギーＣを決定するために、受信した信号強度インディケータから前記干渉推定値Ｉｅｓｔを減算するための手段、をさらに具備する、請求項２０の装置。
【請求項３０】
少なくとも１つのプロセッサにより実行されるときに、信号エネルギー及び干渉エネルギーを決定するように動作する命令を具備するコンピュータ・プログラムを有するコンピュータ読取り可能な媒体、前記コンピュータ・プログラムは、
しきい値の値を設定するための命令、
干渉推定値（Ｉｅｓｔ）を決定するために、前記しきい値の値とチャネル推定値を比較するための命令、
平均チャネル干渉（Ｉｃ）を決定するために、前記干渉推定値（Ｉｅｓｔ）を平均するための命令、及び
前記干渉推定値（Ｉｅｓｔ）及び前記平均チャネル干渉（Ｉｃ）に基づいて干渉エネルギー（Ｉ）を決定するための命令、
を具備するコンピュータ・プログラムである、コンピュータ読取り可能な媒体。
【請求項３１】
前記コンピュータ・プログラムは、
信号推定値（Ｃｅｓｔ）を決定するために、前記しきい値の値と前記チャネル推定値を比較するための命令、及び
前記信号推定値（Ｃｅｓｔ）及び前記平均チャネル干渉（Ｉｃ）に基づいて信号エネルギー（Ｃ）を決定するための命令、
をさらに具備する、請求項３０のコンピュータ読取り可能な媒体。
【請求項３２】
前記コンピュータ・プログラムは、前記信号推定値（Ｃｅｓｔ）に基づいて前記しきい値の値を調節するための命令、をさらに具備する、請求項３１のコンピュータ読取り可能な媒体。
【請求項３３】
前記コンピュータ・プログラムは、前記信号エネルギーＣを決定するために、前記信号推定値Ｃｅｓｔから前記平均チャネル干渉Ｉｃを減算するための命令、をさらに具備する、請求項３１のコンピュータ読取り可能な媒体。
【請求項３４】
前記決定するための命令は、前記干渉エネルギーＩを決定するために、前記Ｉｅｓｔに前記Ｉｃを加算するための命令、を具備する、請求項３０のコンピュータ読取り可能な媒体。
【請求項３５】
前記平均するための命令は、
干渉平均値（Ｉａｖｇ）を決定するために、フィルタリングされたチャネル推定値の何個のサンプルが前記しきい値の値より低いかを示す第１のカウント（Ｎｉ）で前記干渉推定値Ｉｅｓｔを除算するための命令、及び
前記平均チャネル干渉Ｉｃを決定するために、前記フィルタリングされたチャネル推定値の何個のサンプルが前記しきい値の値より大きいかを示す第２のカウント（Ｎｃ）と前記Ｉａｖｇを乗算するための命令、
を具備する、請求項３０のコンピュータ読取り可能な媒体。
【請求項３６】
前記設定するための命令は、参照インディケータに基づいて前記しきい値の値を設定するための命令、を具備する、請求項３０のコンピュータ読取り可能な媒体。
【請求項３７】
前記コンピュータ・プログラムは、干渉部分として前記チャネル推定値の一部を特定する切捨てウィンドを生成するため、そして、前記干渉推定値（Ｉｅｓｔ）を決定するために、前記干渉部分を使用するための命令、をさらに具備する、請求項３０のコンピュータ読取り可能な媒体。
【請求項３８】
前記コンピュータ・プログラムは、１又はそれより多くのシンボルを時間フィルタリングすることにより前記チャネル推定値を取得するための命令、をさらに具備する、請求項３０のコンピュータ読取り可能な媒体。
【請求項３９】
前記コンピュータ・プログラムは、信号エネルギーＣを決定するために、受信した信号強度インディケータから前記干渉推定値Ｉｅｓｔを減算するための命令、をさらに具備する、請求項３０のコンピュータ読取り可能な媒体。
【請求項４０】
信号エネルギー及び干渉エネルギーを決定するための方法を実行するように構成された少なくとも１つのプロセッサ、前記方法は、
しきい値の値を設定すること、
干渉推定値（Ｉｅｓｔ）を決定するために、前記しきい値の値とチャネル推定値を比較すること、
平均チャネル干渉（Ｉｃ）を決定するために、前記干渉推定値（Ｉｅｓｔ）を平均すること、及び
前記干渉推定値（Ｉｅｓｔ）及び前記平均チャネル干渉（Ｉｃ）に基づいて干渉エネルギー（Ｉ）を決定すること、
を具備する方法である、プロセッサ。
【請求項４１】
前記方法は、
信号推定値（Ｃｅｓｔ）を決定するために、前記しきい値の値とフィルタリングされた前記チャネル推定値を比較すること、及び
前記信号推定値（Ｃｅｓｔ）及び前記平均チャネル干渉（Ｉｃ）に基づいて信号エネルギー（Ｃ）を決定すること、
をさらに具備する、請求項４０のプロセッサ。
【請求項４２】
前記方法は、前記信号推定値（Ｃｅｓｔ）に基づいて前記しきい値の値を調節すること、をさらに具備する、請求項４１のプロセッサ。
【請求項４３】
前記方法は、前記信号エネルギーＣを決定するために、前記信号推定値Ｃｅｓｔから前記平均チャネル干渉Ｉｃを減算すること、をさらに具備する、請求項４１のプロセッサ。
【請求項４４】
前記決定することは、前記干渉エネルギーＩを決定するために、前記Ｉｅｓｔに前記Ｉｃを加算すること、を具備する、請求項４０のプロセッサ。
【請求項４５】
前記平均することは、
干渉平均値（Ｉａｖｇ）を決定するために、フィルタリングされた前記チャネル推定値の何個のサンプルが前記しきい値の値より低いかを示す第１のカウント（Ｎｉ）で前記干渉推定値Ｉｅｓｔを除算すること、及び
前記平均チャネル干渉Ｉｃを決定するために、前記フィルタリングされたチャネル推定値の何個のサンプルが前記しきい値の値より大きいかを示す第２のカウント（Ｎｃ）と前記Ｉａｖｇを乗算すること、
を具備する、請求項４０のプロセッサ。
【請求項４６】
前記設定することは、参照インディケータに基づいて前記しきい値の値を設定すること、を具備する、請求項４０のプロセッサ。
【請求項４７】
前記方法は、干渉部分として前記チャネル推定値の一部を特定する切捨てウィンドを生成すること、をさらに具備する、そしてここにおいて、前記干渉部分は、前記干渉推定値（Ｉｅｓｔ）を決定するために使用される、請求項４０のプロセッサ。
【請求項４８】
前記方法は、１又はそれより多くのシンボルを時間フィルタリングすることにより前記チャネル推定値を取得すること、をさらに具備する、請求項４０のプロセッサ。
【請求項４９】
前記方法は、信号エネルギーＣを決定するために、受信した信号強度インディケータから前記干渉推定値Ｉｅｓｔを減算すること、をさらに具備する、請求項４０のプロセッサ。
【請求項５０】
信号エネルギー及び干渉エネルギーを決定するための方法、前記方法は、
しきい値の値を設定すること、
切捨てウィンドを規定すること、
干渉推定値（Ｉｅｓｔ）を決定するために、前記しきい値の値と前記切捨てウィンド内のフィルタリングされたチャネル推定値を比較すること、
平均チャネル干渉（Ｉｃ）を決定するために、前記干渉推定値（Ｉｅｓｔ）を平均すること、及び
前記干渉推定値（Ｉｅｓｔ）及び前記平均チャネル干渉（Ｉｃ）に基づいて干渉エネルギー（Ｉ）を決定すること、
を具備する、方法。
【請求項５１】
信号推定値（Ｃｅｓｔ）を決定するために、前記しきい値の値と前記切捨てウィンド外の前記フィルタリングされたチャネル推定値を比較すること、及び
前記信号推定値（Ｃｅｓｔ）及び前記平均チャネル干渉（Ｉｃ）に基づいて信号エネルギー（Ｃ）を決定すること、
をさらに具備する、請求項５０の方法。
【請求項５２】
前記信号エネルギーＣを決定するために、前記信号推定値Ｃｅｓｔから前記平均チャネル干渉Ｉｃを減算すること、をさらに具備する、請求項５１の方法。
【請求項５３】
信号エネルギー及び干渉エネルギーを決定するための方法、前記方法は、
切捨てウィンドを規定すること、
前記切捨てウィンド内に存在するフィルタリングされたチャネル推定値に基づいて干渉エネルギー（Ｉ）を決定すること、
前記干渉エネルギー（Ｉ）及び受信したエネルギー（Ｒ）に基づいて信号エネルギー（Ｃ）を決定すること、
を具備する、方法。
【請求項５４】
信号エネルギー及び干渉エネルギーを決定するための方法、前記方法は、
２つのシンボル中のフィルタリングされたチャネル推定値の差異に基づいて干渉エネルギー（Ｉ）を決定すること、
前記干渉エネルギー（Ｉ）及び受信したエネルギー（Ｒ）に基づいて信号エネルギー（Ｃ）を決定すること、
を具備する、方法。
【請求項５５】
信号エネルギー及び干渉エネルギーを決定するための方法、前記方法は、
２つのシンボル中のフィルタリングされていないチャネル推定値の差異に基づいて干渉エネルギー（Ｉ）を決定すること、
前記干渉エネルギー（Ｉ）及び受信したエネルギー（Ｒ）に基づいて信号エネルギー（Ｃ）を決定すること、
を具備する、方法。
【請求項５６】
信号エネルギー及び干渉エネルギーを決定するための方法、前記方法は、
３つのシンボル中のフィルタリングされたチャネル推定値の差異に基づいて干渉エネルギー（Ｉ）を決定すること、
前記干渉エネルギー（Ｉ）及び受信したエネルギー（Ｒ）に基づいて信号エネルギー（Ｃ）を決定すること、
を具備する、方法。
【手続補正２】
【補正対象書類名】明細書
【補正対象項目名】００２１
【補正方法】変更
【補正の内容】
【００２１】
コンテントは、送信論理回路１１６に入力され、それはコンテントを処理して、上記されたように伝送フレームを生成する。送信論理回路１１６は、伝送波形１１８としてネットワーク１１０を介して伝送フレームを送信するように動作する。例えば、伝送フレームは、ブロードキャスト・チャネルを使用してネットワーク１１０を介して配布されることができる。
【手続補正３】
【補正対象書類名】明細書
【補正対象項目名】００４８
【補正方法】変更
【補正の内容】
【００４８】
上記のように、しきい値論理回路４１２は、信号推定値（Ｃｅｓｔ)４２２の遅延版に基づいて現在のしきい値の値を調節するように動作する。例えば、信号推定値４２２が増加するにつれて、しきい値論理回路４１２は、しきい値の値を減少させ、そして信号推定値４２２が減少するにつれて、しきい値論理回路４１２は、しきい値の値を増加させるように動作する。
【手続補正４】
【補正対象書類名】明細書
【補正対象項目名】００８７
【補正方法】変更
【補正の内容】
【００８７】
図９は、推定システム９００の１態様を示す。推定システム９００は、しきい値の値を設定するための手段（９０２）を具備する。例えば、１つの態様では、手段９０２は、しきい値論理回路４１２を具備する。推定システム９００は、しかも、フィルタリングされたチャネル推定値をしきい値の値と比較するための手段（９０４）を具備する。例えば、１つの態様では、手段９０４は、しきい値論理回路４１２を具備する。推定システム９００は、しかも、干渉推定値を平均するための手段（９０６）を具備する。例えば、１つの態様では、手段９０６は、除算論理回路６１０を具備する。推定システム９００は、しかも、干渉エネルギーを決定するための手段（９０８）を具備する。例えば、１つの態様では、手段９０８は、合計論理回路６１８を具備する。
【国際調査報告】
2010511355.tif 000017
2010511355.tif 000018